(57)【要約】      （修正有）【課題】補強リブを付したことによって四角筒形ダクト組立用のハゼ付き周壁板にねじれ，または歪みが発生することを解消したダクト組立用周壁板を提供する。【解決手段】補強リブ２を並設した周壁板１にハゼを成形することで該周壁板に発生するねじれ，歪みを該周壁板の相対端辺に雌雄のハゼ５，８をロール成形する過程で該雌雄のハゼの内側をもとに数度乃至十数度において押し折りする押し折り線７，９を付すことで解消するようにして、ねじれ，歪みを解消する押し折り線構造を採用したダクト組立用の補強リブ付き周壁板とする。【選択図】図４
0003155434.tif 000002
【実用新案登録請求の範囲】
【請求項１】
補強リブを並設した周壁板にハゼを成形することで該周壁板に発生するねじれ，歪みを該周壁板の相対端辺に雌雄のハゼをロール成形する過程で該雌雄のハゼの内側をもとに数度乃至十数度において押し折りする押し折り線を付すことで解消するようにしたことを特徴とするダクト組立用の補強リブ付き周壁板のねじれ，歪みを解消する押し折り線構造。
【請求項２】
押し折り線は雌型ハゼ成形用のロール列と雄型ハゼ成形用のロール列のそれぞれ外側に設ける押し遊車列または押し板にて押し折り形成するダクト組立用周壁板のロール成型機。
【請求項３】
押し遊車列または押し板は取外しおよび上下動調整自在である請求項２に記載のダクト組立用周壁板のロール成型機。
【考案の詳細な説明】
【技術分野】
【０００１】
この考案は、四角筒形ダクト組立用の周壁板に補強リブを並設して後、雌雄のハゼを成形すると、周壁板にねじれ，歪みが生じて組立てを困難にするので、これを解消する構造に関するものである。
【背景技術】
【０００２】
図１（ａ）に示すように、四角筒形ダクトを組立てる四面の周壁板のそれぞれに補強リブを並設した両端辺に嵌込み接続用のハゼを成形すると、ハゼを成形する際の補強リブの部分的な潰しにより図１（ｂ）（ｃ）に示すように周壁板にねじれ，または歪みが生ずる。このねじれ，歪みは周壁板の厚薄、および補強リブの凹凸の大きさによって大小するようである。
【先行技術文献】
【特許文献】
【０００３】
【特許文献１】なし
【考案の概要】
【考案が解決しようとする課題】
【０００４】
このようにして周壁板にねじれ，または歪みが生ずると、ダクト組立ての際に雌雄のハゼの一部がはねて全長の嵌込みに難儀し、最悪の場合ダクトの組立てができないという課題があった。また組立て得たとしても雌雄のハゼに嵌付け不充分の個所ができるなどして気密漏れや変形が生ずるという課題があった。
【課題を解決するための手段】
【０００５】
本考案は、補強リブを並設してなる四角筒形ダクト組立用の周壁板に雌雄のハゼを成形することによって生ずる周壁板のねじれ，または歪みを雌雄のハゼをロール成形する際に該両ハゼの内側を基点にして数度乃至十数度において業界名カゲと呼ばれる押し折り線を付して矯正し解消するようにしたのである。
この押し折り線は雌型ハゼ成形用のロール列と雄型ハゼ成形用のロール列を背合わせ配置してなるダクト周壁板のロール成型機において、該両ハゼ成形用のロール列のそれぞれ外側に押し遊車列または押し板を設けて押し折り形成するのである。
【考案の効果】
【０００６】
本考案は、補強リブを並設した周壁板の両端辺にハゼを成形することで生ずるねじれ，または歪みを雌雄両ハゼの内側に業界名カゲと呼ばれる押し折り線をハゼの成形と同時に連続して付すことで解消するようにしたので、ダクト組立てに当って周壁板間の雌雄のハゼにはねる個所を作らずに容易に嵌付け接続することができて、四角筒形ダクトを組立てることができるという効果を生ずる。
雌雄のハゼに嵌付け接続不良の個所がなくなるをもって気密漏れ，変形も生じない四角筒形ダクトを提供することができるという効果を生ずる。
【図面の簡単な説明】
【０００７】
【図１】（ａ）は補強リブを並設した周壁板の１例を示す斜視図、（ｂ）はハゼの成形によって生じたねじれを示す斜視図、（ｃ）はねじれの大小例を示す図、（ｄ）は周壁板の板厚の厚薄の例を示す部分断面図、（ｅ）は補強用のリブの大小の例を示す部分断面図
【図２】雌雄のハゼ成形時に同時に押し折り線を連続して付している状態を示す拡大断面図
【図３】角度の異なる押し折り線を付す例を示す部分断面図
【図４】両ハゼの内側に押し折り線を付して、ねじれ，歪みを解消した周壁板の斜視図
【図５】四角筒形ダクトの組立て例を示す正面図
【図６】押し遊車列にかわる押し板の例を示す部分拡大図
【図７】押し遊車列を取り外して送りロールを取付けた状態にて示す図
【考案を実施するための形態】
【０００８】
本考案は、補強リブを並設してなる四角筒形ダクト組立用の周壁板（亜鉛鉄板）の両端辺にハゼを成形すると、周壁板に大小のねじれ，または歪みが生ずるので、このねじれ，歪みを周壁板の長手側の両端辺に雌雄のハゼを各別にロール成形する過程で該両ハゼの内側をもとに数度乃至十数度において押し折り線を付すことで矯正し解消するようにしたのである。
押し折り線は、雌型ハゼ成形用のロール列と雄型ハゼ成形用のロール列を設けてなるダクト周壁板のロール成型機において、該両ハゼ成形用のロール列の外側に押し遊車列または押し板を配置して、ハゼの成形と同時に連続的に押し折り線を成形するのである。
【実施例１】
【０００９】
図１（ａ）に示すように四角筒形ダクト組立用の長尺の周壁板（亜鉛鉄板）１に短尺方向において並列する凹凸の補強リブ２を並設し、次いで周壁板１の長尺側の両端辺に雌雄のハゼをロール成形すると、補強リブ２のうち長尺側の両端辺部分は押し潰されて図１（ｂ）に示すように周壁板１に大小のねじれ，または歪み３が生ずる。
【００１０】
本考案は、周壁板１の長尺側の端辺１ａを図２に示すロール成型機４の一側のロール列４ａに通してボタンパンチの雄型ハゼ５を成形する際に支持フレーム４ｃの上端に一端を嵌付けた取付けアーム６ａにてロール列４ａの外側に配列した押し遊車列６によって周壁板１を押して成形するボタンパンチの雄型ハゼ５の外側を基点にして周壁板１に数度乃至十数度において業界名カゲと呼ばれる押し折り線７を折り形成して矯正して、ねじれ，歪みを解消するようにしたのである。
【００１１】
次いで周壁板１は長尺側の他端辺１ｂをロール成型機４の他側のロール列４ｂに通して雌型ハゼ８を成型する際も前述同様に押し遊車列６にて周壁板１を押して雌型ハゼ８の外側を基点に数度乃至十数度の押し折り線９を付してねじれ，歪みを解消するのである。
【００１２】
このようにして周壁板１は図４に示すように長尺側の端辺１ａにボタンパンチの雄型ハゼ５、他端辺１ｂに雌型ハゼ８が成形され、そのそれぞれの内側に押し折り線７，９が同時に付されることで、この押し折り線７，９によって、補強リブ２を並設したすべての周壁板１は押し折り線７，９による矯正によってねじれ，または歪み３が解消されることとなる。つまり、周壁板１の一半は一側端辺１ａに押し折り線７を付すことでねじれ，歪み３が解消し、他半は他側端辺１ｂに押し折り線９を付すことでねじれ，歪み３が解消し、結局、両押し折り線７，９の付加にて周壁板１はその全面よりねじれ，歪み３が解消することとなるのである。
【００１３】
四面の周壁板１は補強リブ２を並設した後、ハゼを成形することでねじれ，歪みの発生するも、両押し折り線７，９の付加によって矯正され解消するためにボタンパンチの雄型ハゼ５は雌型ハゼ８にはねる個所を作らずに確実に嵌付け得てパンチ止め接続して気密漏れおよび変形のない四角筒形ダクト１０を組立てることとなる。
【００１４】
なお、遊車ロール列６は高さ調整用のネジ６ｂによって高さ調整を自在にしていて、ねじれ，歪みの大小に対応して上下動調整することで、最適な角度において押し折り線７，９を付加することができる。また周壁板１の厚薄、補強リブ２の凹凸の大小によって、ねじれ，歪みは大小するが，図３に示すように発生するねじれ，歪みの大きさに応じて数度乃至十数度の最適な角度において押し折り線７，９を付すことによって図４に示すようにねじれ，歪み等は確実に解消して平坦に矯正されることとなる。
【００１５】
図示したボタンパンチの雌雄のハゼは、それぞれ三井ハゼの雌雄のハゼ（図示せず）に置きかえることができる。
【実施例２】
【００１６】
図６は押し遊車列６を押し板６ｃにした例を示すもので、その他の構成作用は前例と同じである。
【００１７】
押し折り線７，９の加工をしないとき（補強リブのない周壁板のとき）は図７に示すように押し遊車列６または押し板６ｃを取付アーム６ａごと外し、送りロール１１等既存の部材を取付けるのである。
また既存のロール成型機も、送りロール等の部材を外し、取付アーム６ａを用いて押し遊車列６または押し板６ｃを取付けることで、既存のロール成型機においても周壁板１に押し折り線（カゲ）を押し付してねじれ等の発生を解消することができることになる。
【産業上の利用可能性】
【００１８】
本考案は、補強リブを付したダクト組立用の周壁板にハゼを成形する際に生ずる周壁板のねじれ，歪みを解消する点で広く利用することができるものである。
【符号の説明】
【００１９】
１は四角筒形ダクト組立用の周壁板
１ａ，１ｂは端辺
２は補強リブ
３はねじれ，または歪み
４はロール成型機
４ａは雄型ハゼ成形用のロール列
４ｂは雌型ハゼ成形用のロール列
４ｃは支持フレーム
５はボタンパンチの雄型ハゼ
６は押し遊車列
６ａは取付アーム
６ｂは高さ調整用のネジ
６ｃは押し板
７，９は押し加工した押し折り線
８はボタンパンチの雌型ハゼ
１０は四角筒形ダクト
１１は送りロール
【図１】
0003155434.tif 000003
【図２】
0003155434.tif 000004
【図３】
0003155434.tif 000005
【図４】
0003155434.tif 000006
【図５】
0003155434.tif 000007
【図６】
0003155434.tif 000008
【図７】
0003155434.tif 000009
【手続補正書】
【提出日】平成21年9月8日(2009.9.8)
【手続補正１】
【補正対象書類名】実用新案登録請求の範囲
【補正対象項目名】全文
【補正方法】変更
【補正の内容】
【実用新案登録請求の範囲】
【請求項１】
四角筒形ダクト組立用の周壁板の長尺側の端辺に雌型ハゼまたは雄型ハゼを成形する雌型ハゼ成形用のロール列または雄型ハゼ成形用のロール列を設けたロール成形機において、該周壁板にあらかじめ凹凸の補強リブを並設することによって該ハゼ成形時に生ずる該周壁板のねじれ，歪みを雌型ハゼまたは雄型ハゼの成形と同時に押し折り線を付して解消するために該雌型ハゼ成形用のロール列または雄型ハゼ成形用のロール列の外側に該押し折り線を付す押し遊車列または押し板を設けたことを特徴とする補強リブ付き周壁板のロール成形機。
【請求項２】
押し遊車列または押し板は取外しおよび上下動調整自在である請求項１に記載の補強リブ付周壁板のロール成形機。